(57)【要約】【課題】本発明は、突出部を有するコーナー材によって、建物の構造材の２つの壁面が交差して角部を形成する隅部分の角部を明確に現出させることができることを目的としている。【解決手段】このため、建物の２つの壁面が交差して角部を形成する隅部分に装着されるコーナー材において、隅部分の角部を挟んで両側にある２つの壁面に夫々固着されるように平行に配設される一対の剛性を有する平板部と、隅部分の角部に対峙し、一対の平板部が２つの壁面のなす角度になるように一対の平板部間を屈曲可能に連絡する蝶番部と、蝶番部には平板部の厚さ方向に対して少なくとも一側に突出する突出部とを一体的に設けている。【選択図】図１
2006183409.tif 000002
【特許請求の範囲】
【請求項１】
建物の２つの壁面が交差して角部を形成する隅部分に装着されるコーナー材において、前記隅部分の角部を挟んで両側にある前記２つの壁面に夫々固着されるように平行に配設される一対の剛性を有する平板部と、前記隅部分の角部に対峙し、前記一対の平板部が前記２つの壁面のなす角度になるように一対の平板部間を屈曲可能に連絡する蝶番部と、この蝶番部には前記平板部の厚さ方向に対して少なくとも一側に突出する突出部とを一体的に設けたことを特徴とするコーナー材。
【請求項２】
前記コーナー材は、平板部の一側に突出する第１突出部と、他側に突出する第２突出部とを有していることを特徴とする請求項１に記載のコーナー材。
【請求項３】
前記コーナー材は、平板部の一側に突出する突出部を設けるとともに、この突出部近傍において突出部を挟み、かつ突出部に対して平行に形成されるとともに、平板部の一側から他側近傍まで延びるスリット部を設けたことを特徴とする請求項１に記載のコーナー材。
【発明の詳細な説明】
【技術分野】
【０００１】
この発明はコーナー材に係り、特に建物の隅部分に装着されて角部を平坦に先仕上げするコーナー材に関するものである。
【背景技術】
【０００２】
建物においては、壁面を壁紙や布地等の壁装材を貼り付けて仕上げをする場合に、下地の壁面を平坦に先仕上げしておく必要がある。２つの壁面が交差して角部を形成する出隅部分・入隅部分からなる隅部分は、角部の先仕上げが困難なため、隅部分の角部及びこの角部を挟んで両側にある２つの壁面に装着することにより、角部を平坦に先仕上げするコーナー材が提案されている。
【０００３】
【特許文献１】実用新案登録第２５７８０１９号公報
【特許文献２】特開平８−３５３１１号公報
【発明の開示】
【発明が解決しようとする課題】
【０００４】
ところで、従来のコーナー材においては、厚さが１ミリメートル以下で、幅が２ミリメートルよりも大きい合成樹脂製蝶番部の幅方向中央部に長手方向に沿って折り目を形成するとともに、前記蝶番部の左右両側に合成樹脂製の平板を一体に連結し、この平板に複数の孔を穿設したものがある（上記の特許文献１参照）。
【０００５】
また、合成樹脂を薄板に形成して壁面の出隅部分・入隅部分に配設されるコーナー材において、出隅部分・入隅部分の角部の頂点を境に壁面に夫々取り付けられる２枚の平板部同士の間に屈曲可能に蝶番が一体形成され、前記蝶番部は塑性変形可能としたものがある（上記の特許文献２参照）。
【０００６】
このとき、上述した特許文献１及び２に開示されるコーナー材においては、一対の平板部を柔軟性を有する蝶番部により屈曲可能に連結し、この蝶番部の中央に折り目や予備角を形成することにより、隅部分の角部、特に出隅部分の角部を明確に現出させようとしている。
【０００７】
ところで、これらのコーナー材は、柔軟性を有する蝶番部に折り目や予備角を形成しているため、一対の平板部を壁面に固着する際に引っ張り力が作用すると、蝶番部が引き延ばされて折り目や予備角が平板形状に変形してしまう問題がある。
【０００８】
この結果、一対の平板部間を柔軟性を有する屈曲可能な蝶番部により連結したコーナー材においては、特に出隅部分に装着する際に、平板形状に変形した蝶番部が出隅部分の角部を回り込むように屈曲してしまい、角部を明確に現出させることが困難になるという不都合がある。
【課題を解決するための手段】
【０００９】
そこで、この発明は、上述不都合を除去するために、建物の２つの壁面が交差して角部を形成する隅部分に装着されるコーナー材において、前記隅部分の角部を挟んで両側にある前記２つの壁面に夫々固着されるように平行に配設される一対の剛性を有する平板部と、前記隅部分の角部に対峙し、前記一対の平板部が前記２つの壁面のなす角度になるように一対の平板部間を屈曲可能に連絡する蝶番部と、この蝶番部には前記平板部の厚さ方向に対して少なくとも一側に突出する突出部とを一体的に設けたことを特徴とする。
【発明の効果】
【００１０】
以上詳細に説明した如くこの本発明によれば、建物の２つの壁面が交差して角部を形成する隅部分に装着されるコーナー材において、隅部分の角部を挟んで両側にある２つの壁面に夫々固着されるように平行に配設される一対の剛性を有する平板部と、隅部分の角部に対峙し、一対の平板部が前記２つの壁面のなす角度になるように一対の平板部間を屈曲可能に連絡する蝶番部と、蝶番部には平板部の厚さ方向に対して少なくとも一側に突出する突出部とを一体的に設けたので、突出部を有するコーナー材によって、建物の構造材の２つの壁面が交差して角部を形成する隅部分の角部を明確に現出させることができる。
【発明を実施するための最良の形態】
【００１１】
上述の如く発明したことにより、前記コーナー材の突出部を表面部位に位置させる、いわゆる表使いの場合、あるいは前記コーナー材の突出部を裏面部位に位置させる、いわゆる裏使いの場合には、突出部を有するコーナー材によって、建物の構造材の２つの壁面が交差して角部を形成する隅部分の角部を明確に現出させている。
【実施例１】
【００１２】
以下図面に基づいてこの発明の実施例を詳細に説明する。
【００１３】
図１〜図５はこの発明の実施例を示すものである。図１〜図５において、２は建物の構造材、４ａはこの構造材２の表面部位に装着されるボードからなる第１壁面、４ｂはこの構造材２の表面部位に装着されるボードからなる第２壁面、６はコーナー材である。
【００１４】
コーナー材６は、建物の構造材２の２つの壁面たる第１、第２壁面４ａ、４ｂが交差して角部８を形成する隅部分１０に装着される。
【００１５】
そして、前記コーナー材６は、図１〜図３に示す如く、前記隅部分１０の角部８を挟んで両側にある前記２つの壁面である第１、第２壁面４ａ、４ｂに夫々固着されるように平行に配設される一対の剛性を有する平板部６−１、６−２と、前記隅部分１０の角部８に対峙し、前記一対の平板部６−１、６−２が前記２つの壁面である第１、第２壁面４ａ、４ｂのなす角度になるように一対の平板部６−１、６−２間を屈曲可能に連絡する蝶番部６−３と、この蝶番部６−３には前記平板部６−１、６−２の厚さ方向に対して少なくとも一側に突出する突出部１２とを一体的に設ける構成とする。
【００１６】
詳述すれば、前記コーナー材６は、図２に示す如く、一対の平板部６−１、６−２が平行状態に位置するように帯状に形成され、一対の平板部６−１、６−２間に蝶番部６−３が設けられるものであり、一対の平板部６−１、６−２には、複数個の孔部１４を設ける。
【００１７】
このとき、複数個の孔部１４の形成状況としては、全ての孔部径を同一とする場合や孔部径を２段階、あるいはそれ以上に異ならしめる場合等が考えられるとともに、複数個の孔部１４の形成位置に関しては、規則的に配列させる場合や不規則、つまりランダムに配列させる場合等が考えられる。
【００１８】
また、前記コーナー材６には、一対の平板部６−１、６−２間を屈曲可能に連絡する蝶番部６−３を設け、この蝶番部６−３部位にてコーナー材６を屈曲させて前記建物の構造材２の２つの壁面たる第１、第２壁面４ａ、４ｂに一対の平板部６−１、６−２を夫々装着させ、第１、第２壁面４ａ、４ｂが交差して角部８を形成する隅部分１０に装着させるものである。
【００１９】
そして、前記コーナー材６の蝶番部６−３の形成される部位において、前記平板部６−１、６−２の厚さ方向に対して少なくとも一側、例えば図１〜図３において上側に突出する突出部１２とを一体的、かつ脈状に設ける。
【００２０】
このとき、突出部１２の形成寸法について説明すると、脈状に形成される突出部１２の突出形状を断面三角形状とし、突出部１２の底面部位、つまり一方の裾部から他方の裾部までの長さを、例えば２ミリメートル程度とするとともに、突出部１２の高さ、つまり突出長さを、例えば１ミリメートル以下とすることが好ましい。
【００２１】
次に作用を説明する。
【００２２】
前記コーナー材６の突出部１２を表面部位に位置させる、いわゆる表使いの場合には、図４に示す如く、建物の構造材２の２つの壁面たる第１、第２壁面４ａ、４ｂが交差して角部８を形成する隅部分１０に、蝶番部６−３により一対の平板部６−１、６−２間を屈曲させて装着する。
【００２３】
このとき、前記突出部１２を表面部位に位置させつつ、前記隅部分１０に一対の平板部６−１、６−２を装着させる際には、図示しない両面テープや接着剤等を使用する。
【００２４】
さすれば、前記蝶番部６−３により一対の平板部６−１、６−２間を屈曲させた際に、蝶番部６−３の形成されている部位の一側に形成され、かつ表面部位に位置する突出部１２が引き延ばされるとともに、蝶番部６−３の形成されている部位の他側の裏面部位が収縮されつつ、突出形状を維持し、前記隅部分１０の角部８、特に出隅部分の角部８を明確に現出させ、先仕上げが完了する。
【００２５】
また、前記コーナー材６の突出部１２を裏面部位に位置させる、いわゆる裏使いの場合には、図５に示す如く、建物の構造材２の２つの壁面たる第１、第２壁面４ａ、４ｂが交差して角部８を形成する隅部分１０に、蝶番部６−３により一対の平板部６−１、６−２間を屈曲させて装着する。
【００２６】
このとき、前記突出部１２を裏面部位に位置させつつ、前記隅部分１０に一対の平板部６−１、６−２を装着させる際には、図示しない両面テープや接着剤等を使用する。
【００２７】
さすれば、前記蝶番部６−３により一対の平板部６−１、６−２間を屈曲させた際に、蝶番部６−３の形成されている部位の他側の裏面部位が引き延ばされるとともに、蝶番部６−３の形成されている部位の一側に形成され、かつ裏面部位に位置する突出部１２が収縮され、前記隅部分１０の角部８、特に出隅部分の角部８を曲面状に明確に現出させ、先仕上げが完了する。
【００２８】
上述した先仕上げの終了後には、壁紙や布地等の壁装材（図示せず）を貼り付ける仕上げが行われる。
【００２９】
これにより、前記コーナー材６の蝶番部６−３の形成されている部位の一側に形成され、かつ裏面部位に位置する突出部１２によって、建物の構造材２の２つの壁面たる第１、第２壁面４ａ、４ｂが交差して角部８を形成する隅部分１０の角部８を明確に現出させることができる。
【実施例２】
【００３０】
図６〜図８はこの発明の第２実施例を示すものである。この第２実施例において、上述第１実施例のものと同一機能を果たす箇所には、同一符号を付して説明する。
【００３１】
この第２実施例の特徴とするところは、前記コーナー材６に、平板部６−１、６−２の一側に突出する第１突出部２２と、他側に突出する第２突出部２４とを設けた点にある。
【００３２】
すなわち、図６に示す如く、前記第１突出部２２を、上述の第１実施例における突出部１２と同様に、つまり脈状、かつ突出形状を断面三角形状に形成し、前記第２突出部２４を、脈状、かつ突出形状を断面円弧形状に形成する。
【００３３】
このとき、前記第１突出部２２の底面部位、つまり一方の裾部から他方の裾部までの長さを、例えば２ミリメートル程度とするとともに、第１突出部２２の高さ、つまり突出長さを、例えば１ミリメートル以下とすることが好ましい。
【００３４】
また、前記第２突出部２４においては、第２突出部２４の底面部位、つまり一方の裾部から他方の裾部までの長さは、上述した前記第１突出部２２と同様な長さ、例えば２ミリメートル程度とするとともに、第２突出部２４の高さ、つまり突出長さは、前記第１突出部２２の高さ、つまり突出長さよりも小さく形成することが好ましい。
【００３５】
さすれば、前記コーナー材６の第１突出部２２を表面部位に位置させる、いわゆる表使いの場合には、上述した第１実施例のものと同様に、図７に示す如く、建物の構造材２の２つの壁面たる第１、第２壁面４ａ、４ｂが交差して角部８を形成する隅部分１０に、蝶番部６−３により一対の平板部６−１、６−２間を屈曲させて装着する。
【００３６】
このとき、前記第１突出部２２を表面部位に位置させつつ、前記隅部分１０に一対の平板部６−１、６−２を装着させる際には、図示しない両面テープや接着剤等を使用する。
【００３７】
そして、前記蝶番部６−３により一対の平板部６−１、６−２間を屈曲させた際に、蝶番部６−３の形成されている部位の一側に形成され、かつ表面部位に位置する第１突出部２２が引き延ばされるとともに、蝶番部６−３の形成されている部位の他側に形成され、かつ裏面部位に位置する第２突出部２４が収縮されつつ、突出形状を維持し、前記隅部分１０の角部８、特に出隅部分の角部８を明確に現出させ、先仕上げが完了する。
【００３８】
また、前記コーナー材６の第１突出部２２を裏面部位に位置させる、いわゆる裏使いの場合には、上述した第１実施例のものと同様に、図８に示す如く、建物の構造材２の２つの壁面たる第１、第２壁面４ａ、４ｂが交差して角部８を形成する隅部分１０に、蝶番部６−３により一対の平板部６−１、６−２間を屈曲させて装着する。
【００３９】
このとき、前記突出部１２を裏面部位に位置させつつ、前記隅部分１０に一対の平板部６−１、６−２を装着させる際には、図示しない両面テープや接着剤等を使用する。
【００４０】
そして、前記蝶番部６−３により一対の平板部６−１、６−２間を屈曲させた際に、蝶番部６−３の形成されている部位の一側に形成され、かつ裏面部位に位置する第１突出部２２が収縮されるとともに、蝶番部６−３の形成されている部位の他側に形成され、かつ表面部位に位置する第２突出部２４が引き延ばされ、前記隅部分１０の角部８、特に出隅部分の角部８を曲面状に明確に現出させ、先仕上げが完了する。
【００４１】
上述した先仕上げの終了後には、壁紙や布地等の壁装材（図示せず）を貼り付ける仕上げが行われる。
【００４２】
これにより、前記コーナー材６の蝶番部６−３の形成されている部位の一側に形成され、かつ裏面部位に位置する第１突出部２２によって、上述した第１実施例のものと同様に、建物の構造材２の２つの壁面たる第１、第２壁面４ａ、４ｂが交差して角部８を形成する隅部分１０の角部８を明確に現出させることができる。
【００４３】
また、前記コーナー材６の第１突出部２２を裏面部位に位置させる、いわゆる裏使いの場合には、平板部６−１、６−２の一側に突出する第１突出部２２に対して、他側に突出する第２突出部２４によって、前記隅部分１０の角部８、特に出隅部分の角部８を曲面状により明確に現出させることができる。
【実施例３】
【００４４】
図９〜図１２はこの発明の第３実施例を示すものである。
【００４５】
この第３実施例の特徴とするところは、前記コーナー材６に、平板部６−１、６−２の一側に突出する突出部３２を設けるとともに、この突出部３２近傍において突出部３２を挟み、かつ突出部３２に対して平行に形成されるとともに、平板部６−１、６−２の一側から他側近傍まで延びるスリット部３４を設けた点にある。
【００４６】
すなわち、図９に示す如く、前記突出部３２を、上述の第１実施例における突出部１２と同様に、つまり脈状、かつ突出形状を断面三角形状に形成する。
【００４７】
このとき、前記突出部３２の底面部位、つまり一方の裾部から他方の裾部までの長さを、例えば２ミリメートル程度とするとともに、突出部３２の高さ、つまり突出長さを、例えば１ミリメートル以下とすることが好ましい。
【００４８】
また、前記突出部３２近傍において、図９及び図１０に示す如く、突出部３２を挟み、かつ突出部３２に対して平行に形成されるとともに、平板部６−１、６−２の一側から他側近傍、例えば平板部６−１、６−２の一側から他側に向かって平板部６−１、６−２の中心部位まで延びる複数本のスリット部３４を設ける。
【００４９】
さすれば、前記コーナー材６の突出部３２を表面部位に位置させる、いわゆる表使いの場合には、上述した第１実施例のものと同様に、図１１に示す如く、建物の構造材２の２つの壁面たる第１、第２壁面４ａ、４ｂが交差して角部８を形成する隅部分１０に、蝶番部６−３により前記複数本のスリット部３４を利用して一対の平板部６−１、６−２間を屈曲させて装着する。
【００５０】
このとき、前記突出部３２を表面部位に位置させつつ、前記隅部分１０に一対の平板部６−１、６−２を装着させる際には、図示しない両面テープや接着剤等を使用する。
【００５１】
そして、前記蝶番部６−３により前記複数本のスリット部３４を利用して一対の平板部６−１、６−２間を屈曲させた際に、蝶番部６−３の形成されている部位の一側に形成され、かつ表面部位に位置する突出部２２が引き延ばされるとともに、蝶番部６−３の形成されている部位の他側の裏面部位が収縮されつつ、突出形状を維持し、前記隅部分１０の角部８、特に出隅部分の角部８を明確に現出させ、
先仕上げが完了する。
【００５２】
なお、前記隅部分１０の角部８に現出する複数本のスリット部３４は、パテ等の補修材により埋設する。
【００５３】
また、前記コーナー材６の突出部３２を裏面部位に位置させる、いわゆる裏使いの場合には、上述した第１実施例のものと同様に、図１２に示す如く、建物の構造材２の２つの壁面たる第１、第２壁面４ａ、４ｂが交差して角部８を形成する隅部分１０に、蝶番部６−３により一対の平板部６−１、６−２間を屈曲させて装着する。
【００５４】
このとき、前記突出部１２を裏面部位に位置させつつ、前記隅部分１０に一対の平板部６−１、６−２を装着させる際には、図示しない両面テープや接着剤等を使用する。
【００５５】
そして、前記蝶番部６−３により一対の平板部６−１、６−２間を屈曲させた際に、蝶番部６−３の形成されている部位の他側の表面部位が引き延ばされるとともに、蝶番部６−３の形成されている部位の一側に形成され、かつ裏面部位に位置する突出部３２が収縮され、前記隅部分１０の角部８、特に出隅部分の角部８を曲面状に明確に現出させ、先仕上げが完了する。
【００５６】
上述した先仕上げの終了後には、壁紙や布地等の壁装材（図示せず）を貼り付ける仕上げが行われる。
【００５７】
これにより、前記コーナー材６の蝶番部６−３の形成されている部位の一側に形成され、かつ裏面部位に位置する突出部３２によって、上述した第１実施例のものと同様に、建物の構造材２の２つの壁面たる第１、第２壁面４ａ、４ｂが交差して角部８を形成する隅部分１０の角部８を明確に現出させることができる。
【００５８】
また、前記コーナー材６の突出部３２近傍において突出部３２を挟み、かつ突出部３２に対して平行に形成されるとともに、平板部６−１、６−２の一側から他側近傍まで延びるように設けたスリット部３４によって、前記蝶番部６−３により一対の平板部６−１、６−２間を屈曲させる際の作業性を向上させることができるとともに、前記隅部分１０の角部８をより明確に現出させることができるものである。
【００５９】
なお、この発明は上述第１〜第３実施例に限定されるものではなく、種々の応用改変が可能である。
【００６０】
例えば、この発明の第３実施例においては、前記コーナー材６に、平板部６−１、６−２の一側に突出する突出部３２を設けるとともに、この突出部３２近傍において突出部３２を挟み、かつ突出部３２に対して平行に形成されるとともに、平板部６−１、６−２の一側から他側近傍まで延びるスリット部３４を設ける構成としたが、このスリット部３４以外に、前記突出部３２の反対側、つまり前記コーナー材６の平板部６−１、６−２の他側に第２のスリット部４２を設ける特別構成とすることも可能である。
【００６１】
すなわち、図１３に示す如く、前記突出部３２を、脈状、かつ突出形状を断面三角形状に形成し、前記突出部３２の底面部位、つまり一方の裾部から他方の裾部までの長さを、例えば２ミリメートル程度とするとともに、突出部３２の高さ、つまり突出長さを、例えば１ミリメートル以下とする。
【００６２】
そして、前記突出部３２近傍において、図１３に示す如く、突出部３２を挟み、かつ突出部３２に対して平行に形成されるとともに、平板部６−１、６−２の一側から他側近傍、例えば平板部６−１、６−２の一側から他側に向かって平板部６−１、６−２の中心部位まで延びる複数本のスリット部３４を設ける。
【００６３】
このとき、図１３に示す如く、前記突出部３２の反対側、つまり前記コーナー材６の平板部６−１、６−２の他側、かつ突出部３２の頂上部位に対応する部位に１本の第２のスリット部４２を設けるものである。
【００６４】
さすれば、前記コーナー材６の突出部３２を表面部位に位置させる、いわゆる表使いの場合には、前記スリット部３２を利用して一対の平板部６−１、６−２間を屈曲させることができるとともに、前記コーナー材６の突出部３２を裏面部位に位置させる、いわゆる裏使いの場合には、第２のスリット部４２を利用して一対の平板部６−１、６−２間を屈曲させることができ、前記蝶番部６−３により一対の平板部６−１、６−２間を屈曲させる際の作業性を向上させることができるとともに、隅部分の角部をより明確に現出させることができるものである。
【００６５】
また、この発明の第３実施例においては、前記コーナー材６に、平板部６−１、６−２の一側に突出する突出部３２を設けるとともに、この突出部３２近傍において突出部３２を挟み、かつ突出部３２に対して平行に形成されるとともに、平板部６−１、６−２の一側から他側近傍まで延びるスリット部３４を設ける構成としたが、前記スリット部３４とは逆に、平板部６−１、６−２の他側から一側に延びる第２のスリット部５２を設ける特別構成とすることも可能である。
【００６６】
すなわち、図１４に示す如く、前記突出部３２を、脈状、かつ突出形状を断面三角形状に形成し、前記突出部３２の底面部位、つまり一方の裾部から他方の裾部までの長さを、例えば２ミリメートル程度とするとともに、突出部３２の高さ、つまり突出長さを、例えば１ミリメートル以下とする。
【００６７】
そして、前記突出部３２近傍において、図１４に示す如く、突出部３２を挟み、かつ突出部３２に対して平行に形成されるとともに、平板部６−１、６−２の一側から他側近傍、例えば平板部６−１、６−２の一側から他側に向かって平板部６−１、６−２の中心部位まで延びる複数本のスリット部３４を設ける。
【００６８】
このとき、図１４の左側部位に示す如く、前記スリット部３４とは逆に、つまり前記コーナー材６の平板部６−１、６−２の他側、かつスリット部３４の形成位置に対応する部位に複数本の第２のスリット部５２ａを設ける方策や、図１４の右側部位に示す如く、前記スリット部３４とは逆に、つまり前記コーナー材６の平板部６−１、６−２の他側、かつスリット部３４の形成位置に合致しない部位に複数本の第２のスリット部５２ｂを設ける方策とするものである。
【００６９】
さすれば、前記コーナー材６の突出部３２を表面部位に位置させる、いわゆる表使いの場合には、前記スリット部３２を利用して一対の平板部６−１、６−２間を屈曲させることができるとともに、前記コーナー材６の突出部３２を裏面部位に位置させる、いわゆる裏使いの場合には、第２のスリット部５２ａ、あるいは５２ｂを利用して一対の平板部６−１、６−２間を屈曲させることができ、前記蝶番部６−３により一対の平板部６−１、６−２間を屈曲させる際の作業性を向上させることができるとともに、隅部分の角部をより明確に現出させることができるものである。
【００７０】
更に、この発明の第３実施例においては、前記コーナー材６に、平板部６−１、６−２の一側に突出する突出部３２を設けるとともに、この突出部３２近傍において突出部３２を挟み、かつ突出部３２に対して平行に形成されるとともに、平板部６−１、６−２の一側から他側近傍まで直交すべく延びる同一長さのスリット部３４を設ける構成としたが、スリット部の長さを異ならしめて形成、あるいはスリット部を傾斜させて形成する特別構成とすることも可能である。
【００７１】
すなわち、スリット部の長さを異ならしめて形成する場合には、図１５の左側部位に示す如く、脈状、かつ突出形状を断面三角形状に形成した前記突出部３２近傍において、突出部３２を挟み、かつ突出部３２に対して平行に形成されるとともに、平板部６−１、６−２の一側から他側近傍、例えば平板部６−１、６−２の一側から他側に向かって平板部６−１、６−２の中心部位まで延びる複数本の第１スリット部６２ａを設ける。
【００７２】
このとき、第１スリット部６２ａの長さを、前記突出部３２から離間するに連れて漸次大とすべく形成する。
【００７３】
そして、前記第１スリット部６２ａとは逆に、つまり前記コーナー材６の平板部６−１、６−２の他側、かつ第１スリット部６２ａの形成位置に対応する部位に複数本の第２スリット部６４ａを設けるとともに、この第２スリット部６４ａの長さを前記突出部３２から離間するに連れて漸次小とすべく形成する。
【００７４】
また、前記スリット部を傾斜させて形成する場合には、図１５の右側部位に示す如く、脈状、かつ突出形状を断面三角形状に形成した前記突出部３２近傍において、突出部３２を挟み、かつ突出部３２に対して平行に形成されるとともに、平板部６−１、６−２の一側から他側近傍、例えば平板部６−１、６−２の一側から他側に向かって平板部６−１、６−２の中心部位まで延びる複数本の第１スリット部６２ｂを設ける。
【００７５】
このとき、第１スリット部６２ｂの傾斜状態を、前記突出部３２から漸次離間するように切り込んで形成する。
【００７６】
そして、前記第１スリット部６２ｂとは逆に、つまり前記コーナー材６の平板部６−１、６−２の他側、かつ第１スリット部６２ｂの形成位置に対応する部位に複数本の第２スリット部６４ｂを設けるとともに、この第２スリット部６４ｂの傾斜状態を第１スリット部６２ｂの傾斜状態に対して対象となるように切り込んで形成する。
【００７７】
さすれば、前記コーナー材６の突出部３２を表面部位に位置させる、いわゆる表使いの場合には、前記第１スリット部６２ａ、あるいは第１スリット部６２ｂを利用して一対の平板部６−１、６−２間を屈曲させることができるとともに、前記コーナー材６の突出部３２を裏面部位に位置させる、いわゆる裏使いの場合には、第２スリット部６４ａ、あるいは第２スリット部６４ｂを利用して一対の平板部６−１、６−２間を屈曲させることができ、前記蝶番部６−３により一対の平板部６−１、６−２間を屈曲させる際の作業性を向上させることができるとともに、隅部分の角部をより明確に現出させることができるものである。
【００７８】
更にまた、この発明の第１実施例においては、前記コーナー材６に突出部３２を形成する際に、脈状、かつ突出形状を断面三角形状に形成する構成としたが、前記コーナー材６の突出部７２を裏面部位に位置させる、いわゆる裏使いの場合には、突出部７２を、間欠状態に形成する特別構成とすることも可能である。
【００７９】
すなわち、図１６に示す如く、前記突出部７２を、突出形状を断面三角形状に形成し、連続した脈状とせず、途中部位を平板部６−１、６−２と同様な厚みまで切除した間欠状態に形成するものである。
【００８０】
さすれば、前記コーナー材６の突出部７２を裏面部位に位置させる、いわゆる裏使いの場合には、間欠状態の前記突出部７２がコーナー材６の裏面側に位置することとなり、隅部分の角部をより明確に現出させる際に、何ら不具合がないとともに、一対の平板部６−１、６−２間を屈曲させることができるものである。
【図面の簡単な説明】
【００８１】
【図１】この発明の第１実施例を示すコーナー材の突出部の要部拡大図である。
【図２】コーナー材の概略斜視図である。
【図３】コーナー材の突出部の要部拡大斜視図である。
【図４】コーナー材の表使いの状態を説明する概略説明図である。
【図５】コーナー材の裏使いの状態を説明する概略説明図である。
【図６】この発明の第２実施例を示すコーナー材の突出部の要部拡大図である。
【図７】コーナー材の表使いの状態を説明する概略説明図である。
【図８】コーナー材の裏使いの状態を説明する概略説明図である。
【図９】この発明の第３実施例を示すコーナー材の突出部の要部拡大図である。
【図１０】コーナー材の突出部の要部拡大斜視図である。
【図１１】コーナー材の表使いの状態を説明する概略説明図である。
【図１２】コーナー材の裏使いの状態を説明する概略説明図である。
【図１３】この発明の他の第１の実施例を示すコーナー材の突出部の要部拡大図である。
【図１４】この発明の他の第２の実施例を示すコーナー材の突出部の要部拡大図である。
【図１５】この発明の他の第３の実施例を示すコーナー材の突出部の要部拡大図である。
【図１６】この発明の他の第４の実施例を示すコーナー材の突出部の要部拡大斜視図である。
【符号の説明】
【００８２】
２  建物の構造材
４ａ  第１壁面
４ｂ  第２壁面
６  コーナー材
６−１、６−２  平板部
６−３  蝶番部
８  角部
１０  隅部分
１２  突出部
１４  孔部
【図１】
2006183409.tif 000003
【図２】
2006183409.tif 000004
【図３】
2006183409.tif 000005
【図４】
2006183409.tif 000006
【図５】
2006183409.tif 000007
【図６】
2006183409.tif 000008
【図７】
2006183409.tif 000009
【図８】
2006183409.tif 000010
【図９】
2006183409.tif 000011
【図１０】
2006183409.tif 000012
【図１１】
2006183409.tif 000013
【図１２】
2006183409.tif 000014
【図１３】
2006183409.tif 000015
【図１４】
2006183409.tif 000016
【図１５】
2006183409.tif 000017
【図１６】
2006183409.tif 000018
【手続補正書】
【提出日】平成17年1月18日(2005.1.18)
【手続補正１】
【補正対象書類名】明細書
【補正対象項目名】００６４
【補正方法】変更
【補正の内容】
【００６４】
さすれば、前記コーナー材６の突出部３２を表面部位に位置させる、いわゆる表使いの場合には、前記スリット部３４を利用して一対の平板部６−１、６−２間を屈曲させることができるとともに、前記コーナー材６の突出部３２を裏面部位に位置させる、いわゆる裏使いの場合には、第２のスリット部４２を利用して一対の平板部６−１、６−２間を屈曲させることができ、前記蝶番部６−３により一対の平板部６−１、６−２間を屈曲させる際の作業性を向上させることができるとともに、隅部分の角部をより明確に現出させることができるものである。